(57)【特許請求の範囲】
【請求項１】
光コネクタの内部のフェルールに内蔵固定された第一の光ファイバと、前記光コネクタの外部から前記光コネクタの内部に挿入する第二の光ファイバとを位置決め調心して、前記第一の光ファイバと前記第二の光ファイバとを突き合わせた状態で接続して、前記光コネクタに前記第二の光ファイバを固定する際に使用する光コネクタ用接続治具であって、
前記光コネクタを傾斜部の上方にセットすることで、前記光コネクタ内に前記第二の光ファイバを挿入させるための隙間を開けるためのコネクタホルダと、
前記第二の光ファイバが装着され、前記光コネクタと前記コネクタホルダの前記傾斜部との間に配置され前記光コネクタを押し上げるための押し上げ部材を有するガイド部材とを備え、
前記コネクタホルダに前記光コネクタをセットし、前記第二の光ファイバを前記隙間より前記光コネクタ内へ挿入した後に、前記ガイド部材を前記第二の光ファイバの光軸方向に向けて押すことにより、前記押し上げ部材が前記傾斜部に沿って押し上げられ、前記第一の光ファイバと前記第二の光ファイバとを突き合わせた状態で、前記光コネクタを前記コネクタホルダから外れると共に前記隙間が閉じ前記光コネクタと前記第二の光ファイバとが固定されることを特徴とする光コネクタ用接続治具。
【請求項２】
前記第二の光ファイバを把持するファイバホルダを備え、
前記ガイド部材は、前記ファイバホルダを前記第二の光ファイバの光軸方向に向けてスライドさせるためのガイド溝が形成されており、前記ファイバホルダを介して前記第二の光ファイバが装着されることを特徴とする請求項１記載の光コネクタ用接続治具。
【請求項３】
前記ガイド溝の一端側には、前記第二の光ファイバの光軸方向に向けてスライドを規制するための前記ファイバホルダが引っ掛かるストップ部を備えることを特徴とする請求項２記載の光コネクタ用接続治具。
【発明の詳細な説明】
【技術分野】
【０００１】
本発明は、現地組立型の光コネクタの接続作業に使用する接続治具に関するものである。
【背景技術】
【０００２】
通信の分野においては、高速・大容量伝送が可能な光ファイバが伝送線路の主流となり、幹線から各家庭までの伝送経路を光ファイバ化するＦＴＴＨ（Ｆｉｂｅｒ  Ｔｏ  Ｔｈｅ  Ｈｏｍｅ）の普及が進んでいる。このＦＴＴＨの構築にあたり、光ファイバを基板上のＶ溝の内部で突き合わせて軸合わせを行うと共に、その状態で光ファイバ心線を固定することで、簡易に光ファイバ心線同士の接続を行う、メカニカルスプライスを用いた光ファイバの接続が行われている（特許文献１参照）。
【０００３】
しかし、メカニカルスプライスを用いて光ファイバを接続している場合、故障時の切り分けの際には、光ファイバを一度切断して装置とつないで調査を行った後に、再度メカニカルスプライスで接続し直すため、多くの手間がかかるという問題があった。
【０００４】
そこで、伝送経路の保守性や運用効率を向上させるため、光ファイバの接続における接続点の光コネクタ化が検討されている。そして、そのための方法として、光ファイバ（第一の光ファイバ）を予め光コネクタの内部のフェルールに内蔵固定している、メカニカルスプライスを応用した現地組立型の光コネクタが開発されている。
【０００５】
この現地組立型の光コネクタは、光ファイバが内蔵固定され先端研磨が施されてなるフェルールの後端部から突き出た光ファイバ（第一の光ファイバ）と別の光ファイバ（第二の光ファイバ）とを位置決め調心して、第一の光ファイバと第二の光ファイバとを突き合わせた状態で接続して、現地組立型の光コネクタと光ファイバ（第二の光ファイバ）とを固定することで光ファイバ同士の接続状態を維持する接続機構を有するフェルール付きメカニカルスプライスと、このフェルール付きメカニカルスプライスを収容するハウジングとを備えている。
【特許文献１】特開平１１−２６４９１３号公報
【発明の開示】
【発明が解決しようとする課題】
【０００６】
ところで、上記の現地組立型の光コネクタの組立方法は、例えば、図４に示すような、接続治具を用いて行う方法がある。接続治具４０１は、光コネクタ４１０内のメカニカルスプライス４１１に光ファイバを挿入するための隙間を発生するための楔４０２と、光ファイバを挿入するためのガイド４０３とを備え、一方、光コネクタ４１０内のメカニカルスプライス４１１には、前記接続治具４０１上の楔４０２を挿入するためのスリット４１２が形成されている（図４（ａ）、（ｃ）、（ｄ）参照）。そして、組立時には、このスリット４１２へ接続治具４０１上の楔４０２を挿入して、光ファイバを挿入するための隙間４１３を形成する（図４（ｅ）参照）。
【０００７】
つまり、端面処理を行った光ファイバ（第二の光ファイバ）４０５を、光コネクタの内部に挿入し、光ファイバ（第二の光ファイバ）をたわませることで、光コネクタの内部のフェルール４０６に内蔵固定された第一の光ファイバ（第一の光ファイバ）と光ファイバ（第二の光ファイバ）との突合せ確認を行った後、楔解除ボタン４０４を押すことで、スリット４１２から楔４０２を抜いて接続・組立するものであった。
【０００８】
このため、光ファイバの挿入作業と、くさび解除作業が異なる動作であるため、作業手順の間違いや、たわみ確認作業の忘れなど、柱上等の不安定な作業場ではミスの発生する可能性があり、安定した接続作業を容易に行うことが難しいという問題があった。
【０００９】
そこで、本発明は上記問題を解決するために案出されたものであり、安価な手段で、不安定な作業場においても、容易に且つ安定した接続作業を実現できる現地組立型の光コネクタ用接続治具を提供することにある。
【課題を解決するための手段】
【００１１】
上記目的を達成するために、請求項１の発明は、光コネクタの内部のフェルールに内蔵固定された第一の光ファイバと、前記光コネクタの外部から前記光コネクタの内部に挿入する第二の光ファイバとを位置決め調心して、前記第一の光ファイバと前記第二の光ファイバとを突き合わせた状態で接続して、前記光コネクタに前記第二の光ファイバを固定する際に使用する光コネクタ用接続治具であって、前記光コネクタを傾斜部の上方にセットすることで、前記光コネクタ内に前記第二の光ファイバを挿入させるための隙間を開けるためのコネクタホルダと、前記第二の光ファイバが装着され、前記光コネクタと前記コネクタホルダの前記傾斜部との間に配置され前記光コネクタを押し上げるための押し上げ部材を有するガイド部材とを備え、前記コネクタホルダに前記光コネクタをセットし、前記第二の光ファイバを前記隙間より前記光コネクタ内へ挿入した後に、前記ガイド部材を前記第二の光ファイバの光軸方向に向けて押すことにより、前記押し上げ部材が前記傾斜部に沿って押し上げられ、前記第一の光ファイバと前記第二の光ファイバとを突き合わせた状態で、前記光コネクタを前記コネクタホルダから外れると共に前記隙間が閉じ前記光コネクタと前記第二の光ファイバとが固定されるものである。
【００１２】
また、請求項２に記載の発明は、前記第二の光ファイバを把持するファイバホルダを備え、前記ガイド部材は、前記ファイバホルダを前記第二の光ファイバの光軸方向に向けてスライドさせるためのガイド溝が形成されており、前記ファイバホルダを介して前記第二の光ファイバが装着されるものである。
【００１３】
また、請求項３に記載の発明は、前記ガイド溝の一端側には、前記第二の光ファイバの光軸方向に向けてスライドを規制するための前記ファイバホルダが引っ掛かるストップ部を備えるものである。
【発明の効果】
【００１４】
本発明によれば、安価な手段で、不安定な作業場においても、容易に且つ安定した接続作業を安価に実現できる光コネクタ用接続治具を提供することにある。
【発明を実施するための最良の形態】
【００１５】
以下、本発明を実施するための最良の形態を図面に基づいて詳述する。
【実施例】
【００１６】
本発明の実施の形態に係る接続治具を図１に示す。
【００１７】
図１に示すように、本発明の実施の形態に係る光コネクタ用接続治具は、容易に且つ安定した、光ファイバの光コネクタへの接続作業を安価に実現するためのものであって、光コネクタを位置決めするコネクタホルダ１０２と、光ファイバを挿入するためのガイド部材１０３とからなる。
【００１８】
本実施形態の光コネクタ用接続治具１０１は、コネクタホルダ１０２上に、光コネクタ内に光ファイバを挿入するための隙間を開けるための楔１０４と、ガイド部材１０３をコネクタホルダ１０２に係止するための凹部１０５が形成されている。ガイド部材１０３には、光ファイバを把持したファイバホルダ（心線把持具）をガイドするためのガイド溝１０６と、ファイバホルダを簡易固定するための変位可能な突起１０７と、ファイバホルダのためのストップ溝１１０と、光コネクタを押し上げるための押し上げ部材１０８と、コネクタホルダ１０２をガイド部材１０３に係止するための凸部１０９が形成されている。
【００１９】
図２に示すように、本発明の実施の形態に係る接続治具は、コネクタホルダ１０２とガイド部材１０３とが、凹部１０５と凸部１０９とを嵌合させることにより組み立てられ、凸部１０９を凹部１０５内で移動させることで、互いに近接、離間させることが出来る。コネクタホルダ１０２とガイド部材１０３とを近接させたとき、コネクタホルダ１０２の傾斜部１１１と、ガイド部材１０３の押し上げ部材１０８とが互いにスライドするようになっている。そして、これにより、コネクタホルダ１０２とガイド部材１０３とを近接させることで光コネクタ１１２を押し上げることが出来る。
【００２０】
本実施形態の接続治具を用いた光コネクタの組立方法を図３によって説明する。
【００２１】
本実施形態の接続治具は、図３に示すように、（１）コネクタホルダ１０２へ光コネクタ１０２をセットする。このとき、図２を用いた説明部分で前述したように、光コネクタ１０２内に楔１０４（図１、図２参照）が挿入される（図３（ａ）参照）。
【００２２】
（２）光ファイバの端末処理を行ったファイバホルダ（心線把持具）３０１を、ガイド部材１０３のガイド溝１０６に沿ってスライドさせて光ファイバ（第二の光ファイバ）３０２を光コネクタ１１２内へ挿入していく（図３（ｂ）参照）。
【００２３】
（３）そのまま、ファイバホルダ（心線把持具）３０１を光ファイバ（第二の光ファイバ）３０２の光軸方向（光ファイバ（第二の光ファイバ）３０２を光コネクタ１１２内へ挿入していく方向と同じ方向）に押していくと、ファイバホルダ（心線把持具）３０１がストップ溝１１０の位置でガイド部材１０３に引っ掛かる。そして、さらにファイバホルダ（心線把持具）３０１を光ファイバ３０２の光軸方向に押していくことにより、ファイバホルダ（心線把持具）３０１におけるストップ溝１１０に引っ掛かった部分を介してガイド部材１０３に光軸方向へ向けた力を加えることができる。そして、さらにファイバホルダ（心線把持具）３０１を押していくことにより、ファイバホルダ（心線把持具）３０１と共にガイド部材１０３も押すことができ、これにより、ガイド部材１０３とコネクタホルダ１０２が近接することになる。そして、その結果、コネクタホルダ１０２の傾斜部１１１と、ガイド部材１０３の押し上げ部材１０８とが互いにスライドし、光コネクタ１１２が押し上げられるので、これにより楔１０４から光コネクタ１１２が外れることとなる。
【００２４】
しかし、楔１０４から光コネクタ１１２が外れる前に光ファイバ３０２にたわみ３０３が発生し、光コネクタ１１２の内部のフェルール（図４参照）に内蔵固定された光ファイバ（第一の光ファイバ）（図示せず）と光ファイバ（第二の光ファイバ）３０２とが位置決め調心され、第一の光ファイバと第二の光ファイバ３０２とが突き合わされた状態で接続され、光コネクタ１１２と光ファイバ（第二の光ファイバ）３０２とが固定される。つまり、光ファイバ３０２の突き合わせ作業を確実に実施することができる（図３（ｃ）参照）。そして、これにより、光コネクタ１１２と光ファイバ（第二の光ファイバ）３０２とが固定されて組立が完了する。
【００２５】
これにより、光コネクタの接続作業が、一連の動作で実施することができるため、作業手順の間違いや、たわみ確認作業の忘れなどが発生せず、柱上等の不安定な作業場でもミスの発生を防ぐことができ、安定した接続作業を容易に行うことを実現できる。
【００２６】
本発明の実施の形態においては、コネクタホルダに光コネクタを固定する形態としているが、ガイド部材に光コネクタを固定して、コネクタホルダを移動させることで楔を抜く形態であってもかまわない。
【００２７】
本発明の他の実施の形態としては、コネクタホルダとガイド部材とを第二の光ファイバの光軸方向に近接させたときに、ガイド部材が光コネクタを、コネクタホルダの下方向に移動させることで、光コネクタと第二の光ファイバとの接続を行なう形態が考えられる。
【図面の簡単な説明】
【００２８】
【図１】本発明の一実施形態による光コネクタ用接続治具を示す斜視図である。
【図２】本発明の一実施形態による光コネクタ用接続治具を示す断面図である。
【図３】本発明の一実施形態による光コネクタ用接続治具を使用した光コネクタの組立方法を示す斜視図である。
【図４】従来技術による光コネクタ用接続治具を使用した光コネクタの組立方法を示す斜視図及び断面図である。
【符号の説明】
【００２９】
１０１  光コネクタ用接続治具
１０２  コネクタホルダ
１０３  ガイド部材
１０４  楔
１０５  凹部
１０６  ガイド溝
１０７  突起
１０８  押し上げ部材
１０９  凸部
１１０  ストップ溝
１１１  傾斜部
１１２  光コネクタ
３０１  ファイバホルダ（心線把持具）
３０２  光ファイバ（第二の光ファイバ）
３０３  たわみ
４０１  接続治具
４０２  楔
４０３  ガイド
４０４  楔解除ボタン
４０５  光ファイバ（第二の光ファイバ）
４０６  フェルール
４１０  光コネクタ
４１１  メカニカルスプライス
４１２  スリット
４１３  隙間
【図１】
0004441480.tif 000002
【図２】
0004441480.tif 000003
【図３】
0004441480.tif 000004
【図４】
0004441480.tif 000005